(57)【要約】【課題】種々の試料を秤量皿上で安定して保持できる秤量用保持部材及び電子天秤を提供する。【解決手段】秤量用保持部材５は、本体５１と、第１保持部５２とを備えている。第１保持部５２は、複数の保持片５２１を含んでいる。複数の保持片５２１は、本体５１から突出している。秤量用保持部材５が秤量皿４上に載置された状態で、測定対象物は、秤量用保持部材５の保持片５２１によって保持される。そのため、測定対象物が、薬包紙Ｂや棒状体などのように、秤量皿４上に安定した状態で直接載置することが困難なものであっても、秤量用保持部材５の保持片５２１に保持させることにより、秤量用保持部材５を介して、その重量を秤量皿４に伝えることができる。【選択図】  図５
0003209350.tif 000002
【実用新案登録請求の範囲】
【請求項１】
秤量皿上に載置される本体と、
前記本体から突出し、測定対象物を保持する第１保持部とを備え、
前記第１保持部は、前記本体を表裏反転させた状態で、当該本体を前記秤量皿上に位置決めする位置決め用突起として機能することを特徴とする秤量用保持部材。
【請求項２】
前記第１保持部には、Ｖ字状の凹部が複数形成されていることを特徴とする請求項１に記載の秤量用保持部材。
【請求項３】
前記Ｖ字状の凹部は、前記本体の中心に対して周方向に等間隔で複数形成されていることを特徴とする請求項２に記載の秤量用保持部材。
【請求項４】
前記第１保持部は、前記本体から突出する複数の保持片を含み、
前記Ｖ字状の凹部は、前記複数の保持片の先端縁にそれぞれ形成されていることを特徴とする請求項２又は３に記載の秤量用保持部材。
【請求項５】
前記複数の保持片は、前記本体の中心に対して周方向に等間隔で配置されており、
周方向に隣接する前記保持片の間には、前記複数の保持片による測定対象物の保持を補助する補助片が設けられていることを特徴とする請求項４に記載の秤量用保持部材。
【請求項６】
前記本体には、当該本体を秤量皿上に位置決めする位置決め孔が形成されていることを特徴とする請求項１〜５のいずれか一項に記載の秤量用保持部材。
【請求項７】
前記位置決め孔は、前記本体を表裏反転させた状態で、測定対象物を保持する第２保持部として機能することを特徴とする請求項６に記載の秤量用保持部材。
【請求項８】
請求項１〜７のいずれか一項に記載の秤量用保持部材と、
前記秤量用保持部材が載置される秤量皿とを備えることを特徴とする電子天秤。
【考案の詳細な説明】
【技術分野】
【０００１】
本考案は、電子天秤の秤量皿上に載置される秤量用保持部材、及び、これを備えた電子天秤に関するものである。
【背景技術】
【０００２】
従来より、秤量室が形成された本体と、この秤量室に配置される秤量皿とを備える電子天秤が利用されている。電子天秤では、秤量皿に試料が載置され、秤量室が安定した状態で試料の計量が行われる（例えば、下記特許文献１参照）。
【０００３】
このような電子天秤では、秤量皿は、通常、本体内に配置された秤量セルに支持軸などを介して接続されている。そして、秤量皿に試料が載置されると、秤量セルに力が加わる。秤量セルは、この力の値に基づいて、試料の質量を算出（計量）する。
【先行技術文献】
【特許文献】
【０００４】
【特許文献１】特許第５４７９９５５号公報
【考案の概要】
【考案が解決しようとする課題】
【０００５】
上記のような従来の電子天秤では、試料を直接秤量皿に載置して、秤量皿から秤量セルに力を伝えることで、試料を計量する。一方、試料は、粉状や、液体状である場合がある。さらには、固体の試料であっても、直接秤量皿に載置した場合に安定しない形状、例えば、棒状である場合などもある。このような場合には、試料を安定して秤量皿に載置することが困難となり、秤量セルに安定して力を伝えることが困難となる。
本考案は、上記実情に鑑みてなされたものであり、種々の試料を秤量皿上で安定して保持できる秤量用保持部材及び電子天秤を提供することを目的とする。
【課題を解決するための手段】
【０００６】
（１）本考案に係る秤量用保持部材は、本体と、第１保持部とを備える。前記本体は、秤量皿上に載置される。前記第１保持部は、前記本体から突出し、測定対象物を保持する。前記第１保持部は、前記本体を表裏反転させた状態で、当該本体を前記秤量皿上に位置決めする位置決め用突起として機能する。
【０００７】
このような構成によれば、測定対象物は、秤量皿上に載置された秤量用保持部材の第１保持部によって保持される。
そのため、測定対象物が、秤量皿上に安定した状態で直接載置することが困難なものであっても、第１保持部に保持させることにより、秤量用保持部材を介して、その重量を安定して秤量皿に伝えることができる。
また、本体を表裏反転させた状態であっても、第１保持部によって本体を位置決めすることで、秤量用保持部材を秤量皿上に安定的に載置しておくことができる。
【０００８】
例えば、測定対象物が粉状である場合には、測定対象物を薬包紙に包み、その薬包紙を第１保持部に保持させることで、秤量用保持部材を介して、測定対象物の重量を秤量皿に伝えることができる。また、測定対象物が棒状である場合には、その端部や中心部を第１保持部に保持させることで、秤量用保持部材を介して、測定対象物の重量を秤量皿に伝えることができる。
このように、本考案に係る秤量用保持部材によれば、種々の試料を秤量皿上で安定して保持できる。
【０００９】
（２）また、前記第１保持部には、Ｖ字状の凹部が複数形成されていてもよい。
【００１０】
このような構成によれば、第１保持部の凹部に測定対象物を載置することで、測定対象物を安定的に保持できる。
【００１１】
（３）また、前記Ｖ字状の凹部は、前記本体の中心に対して周方向に等間隔で複数形成されていてもよい。
【００１２】
このような構成によれば、第１保持部によって、測定対象物を一層安定的に保持できる。
【００１３】
（４）また、前記第１保持部は、前記本体から突出する複数の保持片を含んでもよい。前記Ｖ字状の凹部は、前記複数の保持片の先端縁にそれぞれ形成されていてもよい。
【００１４】
このような構成によれば、第１保持部及び凹部を簡易に構成することができる。
【００１５】
（５）また、前記複数の保持片は、前記本体の中心に対して周方向に等間隔で配置されていてもよい。周方向に隣接する前記保持片の間には、前記複数の保持片による測定対象物の保持を補助する補助片が設けられていてもよい。
【００１６】
このような構成によれば、補助片によって測定対象物の保持を補助することにより、測定対象物を一層安定的に保持できる。
【００１７】
（６）また、前記本体には、当該本体を秤量皿上に位置決めする位置決め孔が形成されていてもよい。
【００１８】
このような構成によれば、位置決め孔によって本体を位置決めすることで、秤量用保持部材を秤量皿上に安定的に載置しておくことができる。
【００１９】
（７）また、前記位置決め孔は、前記本体を表裏反転させた状態で、測定対象物を保持する第２保持部として機能してもよい。
【００２０】
このような構成によれば、本体を表裏反転させるだけで、位置決め孔を第２保持部として機能させることができる。
そのため、簡易に第２保持部を構成できる。
【００２１】
（８）本考案に係る電子天秤は、前記秤量用保持部材と、秤量皿とを備える。前記秤量皿には、前記秤量用保持部材が載置される。
【考案の効果】
【００２２】
本考案によれば、測定対象物は、秤量皿上に載置された秤量用保持部材の第１保持部によって保持される。そのため、測定対象物が、秤量皿上に安定した状態で直接載置することが困難なものであっても、第１保持部に保持させることにより、秤量用保持部材を介して、その重量を安定して秤量皿に伝えることができる。
【図面の簡単な説明】
【００２３】
【図１】本考案の一実施形態に係る電子天秤の構成を示した斜視図である。
【図２】秤量皿の構成を示した斜視図である。
【図３】秤量用保持部材の構成を示した斜視図であって、保持片の凹部が上方を向く状態を示している。
【図４】秤量用保持部材の構成を示した斜視図であって、保持片の凹部が下方を向く状態を示している。
【図５】保持片の凹部が上方を向くようにして、秤量用保持部材を秤量皿に載置した状態を示した斜視図であって、秤量用保持部材によって薬包紙が保持される状態を示している。
【図６】保持片の凹部が上方を向くようにして、秤量用保持部材を秤量皿に載置した状態を示した斜視図であって、秤量用保持部材によって棒状体が保持される状態を示している。
【図７】保持片の凹部が下方を向くようにして、秤量用保持部材を秤量皿に載置した状態を示した斜視図であって、秤量用保持部材によって試料管が保持される状態を示している。
【考案を実施するための形態】
【００２４】
１．電子天秤の全体構成
図１は、本考案の一実施形態に係る電子天秤１の構成を示した斜視図である。
電子天秤１は、例えば、電磁平衡式であり、０．１ｍｇ以下の最小表示で高精度に計量を行うことができる。ただし、電子天秤１としては、電磁平衡式に限らず、ロードセル式などの他の任意の方式のものを用いることができる。
電子天秤１は、本体２と、底面部材３と、秤量皿４と、秤量用保持部材５とを備えている。
【００２５】
本体２は、電子天秤１の筐体を構成しており、後述する秤量室２４を内部に形成している。本体２は、下部ケース２１と、背面ケース２２と、風防ケース２３とを備えている。
下部ケース２１は、本体２の下部（底部）に設けられている。
背面ケース２２は、下部ケース２１の後部に載置されている。背面ケース２２は、上下方向に延びる直方体状に形成されている。
【００２６】
風防ケース２３は、下部ケース２１の中央部に載置されており、背面ケース２２の手前側に配置されている。風防ケース２３は、後方及び下方が開放された中空状の直方体形状に形成されている。風防ケース２３は、例えば、ガラス材料からなり、透明又は半透明に形成されている。風防ケース２３の後端部は、背面ケース２２の前端部に当接している。風防ケース２３の下端部は、下部ケース２１の上端部に当接している。
【００２７】
底面部材３は、下部ケース２１の中央部に載置されており、風防ケース２３の内方に配置されている。
このような構成により、本体２内では、底面部材３、背面ケース２２、及び、風防ケース２３によって、秤量室２４が形成されている。
【００２８】
秤量皿４は、秤量室２４内において、前後方向中央部かつ幅方向中央部に設けられている。秤量皿４は、金属材料からなり、円板状に形成されている。秤量皿４は、秤量室２４内において、底面部材３に収容されており、秤量室２４の内部空間に対向している。
【００２９】
秤量用保持部材５は、種々の試料（測定対象物）を保持するための部材であって、秤量皿４上に載置されている。なお、秤量用保持部材５の詳細は構成については、後述する。
【００３０】
図示しないが、風防ケース２３の側面又は前面は、開閉扉になっており、この開閉扉をスライドすることにより秤量室２４を開閉することができる。電子天秤１において、試料の計量を行う場合には、作業者は、まず、風防ケース２３の開閉扉をスライドして秤量室２４を開放し、試料を秤量用保持部材５に保持させる。そして、作業者は、風防ケース２３の開閉扉をスライドして秤量室２４を閉鎖し、秤量室２４内が安定した状態で試料の計量を開始させる。その後、作業者は、図示しない表示部に表示される数値（計量内容）を確認する。
【００３１】
２．秤量皿の詳細構成
図２は、秤量皿４の構成を示した斜視図である。
秤量皿４は、上記したように円板状に形成されており、その上面４１には、傾斜部４１１、第１平面部４１２、第２平面部４１３及び係合部４１４が形成されている。
【００３２】
傾斜部４１１は、秤量皿４の上面４１における径方向外側部分に配置されており、平面視円環状に形成されている。傾斜部４１１は、径方向において外方から内方に向かうにつれて低くなるテーパー面として形成されている。
【００３３】
第１平面部４１２は、秤量皿４の上面４１における径方向中央部分に配置されており、平面視円環状に形成されている。第１平面部４１２は、平面として形成されている。第１平面部４１２の外縁は、傾斜部４１１の内縁に連続している。
【００３４】
第２平面部４１３は、秤量皿４の上面４１における径方向内側部分に配置されており、平面視円環状に形成されている。第２平面部４１３は、平面として形成されている。第２平面部４１３の高さは、第１平面部４１２の高さよりも高い。秤量皿４の上面４１では、第１平面部４１２と第２平面部４１３との境界において、第２平面部４１３側が高くなる段差が形成されている。
【００３５】
係合部４１４は、秤量皿４の上面４１における中心部分に配置されており、平面視円状に形成されている。係合部４１４は、平面として形成されている。係合部４１４の高さは、第２平面部４１３の高さよりも高い。すなわち、秤量皿４の上面４１では、第２平面部４１３と係合部４１４との境界において、係合部４１４側が高くなる段差が形成されている。
【００３６】
３．秤量用保持部材の詳細構成
図３は、秤量用保持部材５の構成を示した斜視図であって、保持片５２１の凹部５２１Ａが上方を向く状態を示している。なお、以下の秤量用保持部材５の構成の説明においては、図３に示す状態を上下方向の基準とする。
秤量用保持部材５は、本体５１と、第１保持部５２と、複数（４つ）の補助片５３とを備えている。
【００３７】
本体５１は、円板状に形成されている。本体５１には、位置決め孔５１Ａと、複数（４つ）の第１開口５１Ｂと、複数（４つ）の第２開口５１Ｃとが形成されている。
【００３８】
位置決め孔５１Ａは、本体５１の中心部に配置されている。位置決め孔５１Ａは、平面視円状に形成されており、本体５１を上下方向に貫通している。位置決め孔５１Ａの直径（内径）は、秤量皿４の係合部４１４の直径（外径）よりもやや大きい。
【００３９】
第１開口５１Ｂは、本体５１における位置決め孔５１Ａの周囲において、周方向に等間隔で配置されている。第１開口５１Ｂは、平面矩形状に形成されており、本体５１を上下方向に貫通している。
【００４０】
第２開口５１Ｃは、本体５１における第１開口５１Ｂの周囲において、周方向に等間隔で配置されている。第２開口５１Ｃは、平面三角形状に形成されており、本体５１を上下方向に貫通している。
【００４１】
第１保持部５２は、本体５１から上方に突出する部材であって、複数（４つ）の保持片５２１を含んでいる。各保持片５２１は、本体５１における各第１開口５１Ｂの外縁部から上方に向かって突出している。保持片５２１は、本体５１の中心に対して等間隔で複数（４つ）形成されている。各保持片５２１は、側面視形状が横長の矩形状である板状に形成されている。各保持片５２１は、本体５１の中心線を挟んで、他の保持片５２１のうちの１つの保持片５２１と対向している。各保持片５２１には、凹部５２１Ａが形成されている。
【００４２】
凹部５２１Ａは、側面視Ｖ字状であって、保持片５２１の上端縁（先端縁）に形成されている。凹部５２１Ａは、本体５１の中心に対して等間隔で複数（４つ）形成されている。
【００４３】
各補助片５３は、本体５１における各第２開口５１Ｃの内縁部から上方に向かって突出している。補助片５３は、本体５１の中心に対して等間隔で複数（４つ）形成されている。補助片５３は、周方向に隣接する保持片５２１の間に設けられている。各補助片５３は、側面視形状が縦長の矩形状である板状に形成されている。各補助片５３は、本体５１の中心線を挟んで、他の補助片５３のうちの１つの補助片５３と対向している。
【００４４】
このような構成により、秤量用保持部材５では、本体５１、各保持片５２１及び各補助片５３によって囲まれる収容空間Ａが形成されている。
上記した構成の秤量用保持部材５は、１枚の金属板を適宜切断し、曲げるなどの加工を施すことにより作成される。
【００４５】
また、秤量用保持部材５は、以下のように、表裏反転させて用いることが可能である。
図４は、秤量用保持部材５の構成を示した斜視図であって、保持片５２１の凹部５２１Ａが下方を向く状態を示している。具体的には、図４に示す状態では、秤量用保持部材５は、本体５１が上方に位置し、保持片５２１が本体５１から下方に向かって延びている。この状態では、保持片５２１は、脚部として機能する。
【００４６】
このように、秤量用保持部材５は、図３に示すように、本体５１が下方に位置し、保持片５２１が本体５１から上方に向かって延びる第１状態と、図４に示すように、本体５１が上方に位置し、保持片５２１が本体５１から下方に向かって延びる第２状態とで利用可能である。
【００４７】
４．秤量皿に対する秤量用保持部材の載置
図５は、保持片５２１の凹部５２１Ａが上方を向くようにして、秤量用保持部材５を秤量皿４に載置した状態を示した斜視図であって、秤量用保持部材５によって薬包紙Ｂが保持される状態を示している。すなわち、図５では、秤量皿４に対して秤量用保持部材５を第１状態で載置している。なお、図５では、薬包紙Ｂを仮想線で示している。
【００４８】
この状態では、秤量用保持部材５の本体５１の位置決め孔５１Ａに、秤量皿４の係合部４１４が挿通されており、秤量用保持部材５の本体５１が、秤量皿４の第２平面部４１３に載置されている。そして、秤量皿４の係合部４１４の周縁が、秤量用保持部材５の本体５１における位置決め孔５１Ａの縁部に当接している。
これにより、秤量用保持部材５は、秤量皿４に対して位置決めされており、安定的に秤量皿４上に載置されている。
このとき、秤量用保持部材５では、各保持片５２１及び各補助片５３は、本体５１から上方に向かって突出している。
【００４９】
薬包紙Ｂは、例えば、折り曲げ線の中心が薬包紙Ｂの中心に位置するように折り曲げられ、その中央部分に粉状の試料（図示せず）が載せられている。そして、試料が載せられた状態の薬包紙Ｂが秤量用保持部材５の収容空間Ａに収容される。
【００５０】
具体的には、薬包紙Ｂは、その中央部分よりも外側部分の下面が各保持片５２１によって保持されている。より具体的には、薬包紙Ｂは、折り曲げ部分が各保持片５２１の凹部５２１Ａに入り込むようにして、各保持片５２１に保持されている。このとき、各補助片５３の上端は、薬包紙Ｂに当接しており、各保持片５２１による薬包紙Ｂの保持を補助している。そして、薬包紙Ｂにおいて、試料が載せられている部分である中央部分が、収容空間Ａ内に配置されている。
【００５１】
このように、秤量用保持部材５を秤量皿４に対して第１状態で載置すれば、粉状の試料であっても、薬包紙Ｂなどの紙に載せて秤量用保持部材５に保持させることにより、その試料を秤量用保持部材５で保持できる。そして、その試料の重量を、秤量用保持部材５を介して秤量皿４に伝えることができる。
【００５２】
図６は、保持片５２１の凹部５２１Ａが上方を向くようにして、秤量用保持部材５を秤量皿４に載置した状態を示した斜視図であって、秤量用保持部材５によって棒状体Ｃが保持される状態を示している。すなわち、図６では、図５と同様に、秤量皿４に対して秤量用保持部材５を第１状態で載置している。なお、図６では、棒状体Ｃを仮想線で示している。
図６に示す状態では、図５と同様にして、秤量皿４上に秤量用保持部材５が載置されており、秤量用保持部材５は、秤量皿４に対して位置決めされている。
【００５３】
棒状体Ｃは、直線状に延びる棒状の固体試料である。棒状体Ｃは、その両端部が保持片５２１によって保持されている。具体的には、棒状体Ｃは、対向する１対の保持片５２１の凹部５２１Ａに、その両端部が入り込むようにして、１対の保持片５２１に保持されている。
【００５４】
このように、秤量用保持部材５を秤量皿４に対して第１状態で載置すれば、棒状の試料であっても、秤量用保持部材５の保持片５２１（保持片５２１の凹部５２１Ａ）に載せることにより、その試料を秤量用保持部材５で保持できる。そして、その試料の重量を、秤量用保持部材５を介して秤量皿４に伝えることができる。
【００５５】
図７は、保持片５２１の凹部５２１Ａが下方を向くようにして、秤量用保持部材５を秤量皿４に載置した状態を示した斜視図であって、秤量用保持部材５によって試料管Ｄが保持される状態を示している。すなわち、図７では、秤量皿４に対して秤量用保持部材５を第２状態で載置している。なお、図７では、試料管Ｄを仮想線で示している。
【００５６】
この状態では、秤量用保持部材５の各保持片５２１が、秤量皿４の第１平面部４１２上に載置されている。また、秤量用保持部材５の各保持片５２１の先端部の内縁は、秤量皿４の第２平面部４１３の周縁（第１平面部４１２と第２平面部４１３との境界の段差）に当接している。
【００５７】
これにより、秤量用保持部材５は、秤量皿４に対して位置決めされており、安定的に秤量皿４上に載置されている。このように、秤量用保持部材５の各保持片５２１は、秤量用保持部材５を表裏反転させた状態で（秤量用保持部材５が第２状態となる状態で）、秤量用保持部材５を秤量皿４上に位置決めする位置決め用突起として機能する。
このとき、秤量用保持部材５では、本体５１が上方に位置しており、各保持片５２１及び各補助片５３は、本体５１から下方に向かって突出している。
【００５８】
試料管Ｄは、内部に液体の試料（図示せず）を貯留する管状体である。試料管Ｄは、秤量用保持部材５の本体５１の位置決め孔５１Ａに挿通されており、その下端は、秤量皿４上に載置されている。試料管Ｄにおける位置決め孔５１Ａへの挿通部分は、秤量用保持部材５の本体５１における位置決め孔５１Ａの縁部に当接している。これにより、試料管Ｄは、上下方向に沿う状態で、秤量用保持部材５に保持される。このとき、秤量用保持部材５の本体５１の位置決め孔５１Ａは、測定対象物を保持する第２保持部として機能する。
【００５９】
このように、秤量用保持部材５を秤量皿４に対して第２状態で載置すれば、液体状の試料であっても、試料管Ｄなどの管状体に貯留して秤量用保持部材５の位置決め孔５１Ａに挿通させることにより、その試料（試料が貯留された管状体）を秤量用保持部材５で保持できる。そして、その試料の重量を、秤量用保持部材５を介して秤量皿４に伝えることができる。
【００６０】
５．作用効果
（１）本実施形態では、図５及び図６に示すように、秤量用保持部材５は、本体５１と、第１保持部５２とを備えている。第１保持部５２は、本体５１から突出し、測定対象物を保持する。
すなわち、測定対象物は、秤量皿４上に載置された秤量用保持部材５の第１保持部５２によって保持される。
【００６１】
そのため、測定対象物が、薬包紙Ｂや棒状体Ｃなどのように、秤量皿４上に安定した状態で直接載置することが困難なものであっても、秤量用保持部材５の第１保持部５２に保持させることにより、秤量用保持部材５を介して、その重量を秤量皿４に伝えることができる。
このように、秤量用保持部材５によれば、種々の試料を秤量皿４上で保持できる。
【００６２】
また、図７に示すように、秤量用保持部材５の各保持片５２１は、秤量用保持部材５を表裏反転させた状態で（秤量用保持部材５が第２状態となる状態で）、秤量用保持部材５を秤量皿４上に位置決めする位置決め用突起として機能する。
そのため、秤量用保持部材５を表裏反転させた状態（秤量用保持部材５が第２状態となる状態）であっても、各保持片５２１によって秤量用保持部材５を位置決めすることで、秤量用保持部材５を秤量皿４上に安定的に載置しておくことができる。
【００６３】
（２）また、本実施形態では、図５及び図６に示すように、第１保持部５２には、Ｖ字状の凹部５２１Ａが複数形成されている。
そのため、凹部５２１Ａに測定対象物を載置することで、測定対象物を安定的に保持できる。
【００６４】
（３）また、本実施形態では、図５及び図６に示すように、Ｖ字状の凹部５２１Ａは、本体５１の中心に対して周方向に等間隔で複数（４つ）形成されている。
そのため、第１保持部５２によって、測定対象物を一層安定的に保持できる。
【００６５】
（４）また、本実施形態では、図５及び図６に示すように、第１保持部５２は、本体５１から突出する複数（４つ）の保持片５２１を含んでいる。Ｖ字状の凹部５２１Ａは、複数（４つ）の保持片５２１の先端縁にそれぞれ形成されている。このような構成は、例えば、１枚の金属板を適宜切断し、曲げるなどの加工を施すことにより作成される。
そのため、第１保持部５２及び凹部５２１Ａを簡易に構成することができる。
【００６６】
（５）また、本実施形態では、図５及び図６に示すように、複数（４つ）の保持片５２１は、本体５１の中心に対して周方向に等間隔で配置されている。そして、周方向に隣接する保持片５２１の間には、保持片５２１による測定対象物の保持を補助する補助片５３が設けられている。
そのため、補助片５３によって、保持片５２１による測定対象物の保持を補助することにより、測定対象物を一層安定的に保持できる。
【００６７】
（６）また、本実施形態では、図５及び図６に示すように、本体５１には、位置決め孔５１Ａが形成されている。そして、秤量皿４に対して秤量用保持部材５を第１状態で載置した状態では、秤量用保持部材５の本体５１の位置決め孔５１Ａに、秤量皿４の係合部４１４が挿通され、秤量皿４の係合部４１４の周縁が、秤量用保持部材５の本体５１における位置決め孔５１Ａの縁部に当接する。
そのため、秤量用保持部材５を秤量皿４に対して位置決めでき、秤量用保持部材５を秤量皿４上に安定的に載置しておくことができる。
【００６８】
（７）また、本実施形態では、図７に示すように、秤量用保持部材５の位置決め孔５１Ａは、秤量用保持部材５を表裏反転させた第２状態において、測定対象物を保持する第２保持部として機能する。
すなわち、秤量用保持部材５を表裏反転させるだけで、位置決め孔５１Ａを第２保持部として機能させることができる。
そのため、簡易に第２保持部を構成できる。
６．変形例
【００６９】
以上の実施形態では、第１保持部５２は、本体５１から突出する複数の保持片５２１であるとして説明した。しかし、第１保持部５２は、本体５１から突出して測定対象物を保持する形状であればよく、その形状は保持片５２１に限られない。例えば、第１保持部５２は、本体５１から円環状に突出する突出部を含んでもよい。この場合には、円環状の突出部の先端に、凹部５２１Ａが周方向において等間隔となるように複数形成されることが望ましい。
【符号の説明】
【００７０】
１        電子天秤
４        秤量皿
５        秤量用保持部材
５１      本体
５１Ａ    位置決め孔
５２      第１保持部
５３      補助片
５２１    保持片
５２１Ａ  凹部
【図１】
0003209350.tif 000003
【図２】
0003209350.tif 000004
【図３】
0003209350.tif 000005
【図４】
0003209350.tif 000006
【図５】
0003209350.tif 000007
【図６】
0003209350.tif 000008
【図７】
0003209350.tif 000009